(57)【要約】【課題】オーブントースタの焼網は、網目部の周縁に枠部を固定して一体化することでオーブントースタの焼網を構成して、網目部と二部品以上の枠部とで構成していることで、二部品以上を必要とするとともに、二部品以上の固定作業を必要として製品コストが増加している問題点がある。製品の構成部品を単一とし製造コストの削減することを課題とする。【課題手段】金属平板のプレス加工により、周縁部をのぞいて網目が形成された網目部と、網目部の周縁部を縁巻加工（カーリング加工）により形成された縁巻部とを有することを特徴とする。さらに、本願第２発明は、金属平板の周縁延長部を下方へ折曲げて形成された係止突起を有することを特徴とする。【選択図】図１
2013029301.tif 000002
【特許請求の範囲】
【請求項１】
金属平板のプレス加工により、その周縁部をのぞいて網目が形成された網目部と、
金属平板の周縁部を縁巻加工により形成された縁巻部と
を有することを特徴とする、オーブントースタの焼網。
【請求項２】
金属平板のプレス加工により、その周縁部をのぞいて網目が形成された網目部と、
金属平板の周縁部を縁巻加工により形成された縁巻部と
金属平板の周縁延長部を下方へ折曲げて形成された係止突起と
を有することを特徴とする、オーブントースタの焼網。
【発明の詳細な説明】
【技術分野】
【０００１】  本願発明は、オーブントースタの焼網に関するものである。
【背景技術】
【０００２】  この種のオーブントースタの焼網に関して、従来の線材を平行配列されたものに代えて、網目構造としたものが公知である。
例えば、特許第３７６０４０８号特許公報（特許文献１）「オーブントースタ」の図１に示される網目部と枠部とよりなる網目構造の焼網が存在する。
【先行技術文献】
【０００３】
【特許文献１】特許第３７６０４０８号特許公報
【発明の概要】
【発明が解決しょうとする課題】
【０００４】  上記の網目構造の焼網は、網目部の周縁に枠部を融着して一体化することで構成して、網目部の周縁を保護している。すなわち、網目部と２部品以上の枠部とで構成していることで、二部品以上を必要とするとともに、二部品以上の固定作業を必要として製品コストが増加している問題点かある。
本発明は、上記の問題点を解決すべく、製品の構成部品を単一とすることを課題とする。
【課題を解決するための手段】
【０００５】  本願発明は、金属平板のプレス加工により、周縁部をのぞいて網目が形成された網目部と、網目部の周縁部を縁巻加工（カーリング加工）により形成された縁巻部とを有することを特徴とする。
本願第２発明は、更に、金属平板の周縁延長部を下方へ折曲げて形成された係止突起を有することを特徴とする。
【発明の効果】
【０００６】  本願発明は、焼網の網目部を、金属平板のプレス加工により製作し、網目部の周縁部を縁巻加工により形成された縁巻部を枠部として機能させるものであるから、単一の金属平板のプレス加工および縁巻加工により製品を完成させることで、従来工程の二部品の固定作業を無くして、製品製作コストを低減するきる効果を有する。
本願第２発明は、更に、オーブントースタ内の焼網支持枠に固定手段であるところの、係止突起〈係止片〉を、網目部を有す金属平板に一体化することで、素材の単品化により、製造コストを低減する効果を有する。
【図面の簡単な説明】
【０００７】
【図１】本願第１発明の第１実施例を示す、オーブントースタの焼網の斜視図。
【図２】同じく平面図。
【図３】ａ図は底面図、ｂ図は同じく正面図、ｃ図は側面図。
【図４】同じく、底面図の部分拡大図。
【図５】同じく部分拡大縦断面図。
【図６】同じく網目の部分拡大平面図。
【図７】素材の金属平板を示し、ａ図は平面図、ｂ図は縦断面図。
【図８】本願発明の第２実施例のオーブントースタの焼網を示し、ａ図は平面図、ｂ図は同じく正面図、ｃ図は左側面図、ｄ図は縦断面図。
【図９】同じく、平面図の部分拡大図。
【図１０】本願発明の第３実施例の周辺段部を有する焼網を示し、ａ図は平面図、ｂ図は正面図。
【図１１】本願発明の第３実施例のリブ状突起部を有する焼網を示し、ａ図は平面図、ｂ図は正面図。
【図１２】枠体に戴置した焼網の使用状態を示す説明図。
【図１３】本願第２発明の実施例を示す、オーブントースタの焼網の斜視図。
【図１４】同じく平面図。
【図１５】同じく底面図。
【図１６】同じく側面図。
【図１７】同じく正面図。
【図１８】同じく部分拡大縦断面図。
【図１９】素材の金属平板を示し、ａ図は平面図、ｂ図は縦断面図。
【図２０】枠体に戴置した焼網の使用状態を示す説明図。
【発明を実施するための最良の形態】
【０００８】  図１ないし図６に示す実施例にもとづいて、本願第１発明を詳細に説明する。【０００９】本発明の焼網Ａは、平面視で長方形状の網目部１と、網目部１の周縁に隣接する縁巻部２とで構成されている。【００１０】  図７に示す素材の金属平板Ｂの周縁部ｂを除く中央部分に網目ｗを打抜くプレス工程により、網目部１を形成する。【００１１】  つぎに、金属平板Ｂの周縁部ｂについて、縁巻加工（カーリング加工）することで、縁巻部２を形成する。【００１２】  縁巻部２は、網目部の端縁の露出を無くして、使用者が不用意に接触して手指が損傷する事故を防ぐとともに、焼網Ａの強度を高める。【００１３】  かくして、焼網Ａは単一素材である金属平板Ｂにより構成され、複数部材の固定作業を不要とする。【００１４】  図８および図９は、本願第１発明の第２実施例の焼網を示し、平面視形状を、前面側の左右側部を切除した長方形とした。【００１５】  実施例において、網目部について、金属平板Ｂの厚さｔを０．６ｍｍとし、網目ｗについて、一辺ａ＝７ｍｍの正方形とし、網目部１の線状部３の巾ｄを１ｍｍとした。【００１６】  網目ｗは、実施例では正方形としたが、長方形、菱形、六角形（亀甲型）、丸形等としてもよいものである。さらに、中央部と周辺部とで異なる形状とするがごとく、数種類の形状の網目を混在させてもよいものである。【００１７】  図１０は、段押し加工により、網目部１の周辺に周辺段部５を形成したことを特徴とする第３実施例の焼網を示す。【００１８】  図１１は、プレス加工またはリブ出し加工により、網目部１の中央部にリブ状突起６を前後方向きたは左右方向に複数本形成したことを特徴とする第４実施例の焼網を示す。【００１９】  前記周辺段部５、リブ状突起６は、平板状の焼網Ａの強度を高める効果を有する。【００２０】  図１２は、本発明の焼網Ａの使用状態を示し、オーブントースタの加熱室内の網受け７に支持された状態で使用する。図１２において、８はヒーター、９は前面ドアである。
図１２においては、縁巻部２を下方側とする状態で、焼網Ａを使用しているが、縁巻部２を上方側とする状態で、焼網Ａを使用してもよいものである。
また、リブ状突起６を上面としているので、トースト調理に際し、パンＭと網目部１との間に空間ｈが存在している。【００２１】  つぎに、本願第２発明の実施例を、以下説明する。【００２２】  本願第２発明は、第１発明の第１実施例において、金属平板の一部の周縁延長部を下方へ折曲げて形成された係止突起を有することを特徴とする。【００２３】図１３ないし図１８に示す実施例においては、第１実施例の焼網において、焼網の前面側および背面側に、周縁より垂下する複数個の係止突起４を形成した。【００２４】  なお、周縁より垂下する複数個の係止突起４を、焼網の左右両側に形成してもよいものである。【００２５】    図１９に示す中間素材ＢＢ’において、素材の周辺部ｂに形成されている平四角片９を、周辺部ｂの縁巻加工（カーリング加工）することで、縁巻部２を形成するにあたり、縁巻加工（カーリング加工）に変えて折曲げプレス加工することにより、下方へ折曲げられて、係止突起４が形成される。【００２６】  図２０は、焼網ＡＡの枠体１０への装着状態を示し、焼網ＡＡの係止突起４は、枠体１０の前方線材１１および後方線材１２に、両線材の内側または外側で、係止して、焼網ＡＡの移動は阻止されている。【００２７】  枠体１０には、係止片１３および１４が形成され、係止片１４がバネ体１６を介して機体適所に固定され、係止片１３は連動アーム１５を介して前面扉９に連結されて、枠体１０を前面扉９の開閉操作に連動してほぼ水平状態で前後動させるための、連動機構が装備されている。【００２８】  本願発明の実施にあたり、素材の平金属板として、アルミメッキ鋼板をそのまま使用、鋼板に耐熱塗装（黒、褐色、グレーなど）、鋼板にクロームメッキ等の表面処理が適当である。耐熱塗装は熱吸収がよいのでパンがよく焼ける効果がある。
【産業上の利用可能性】
【００２９】  本願発明は、安価な焼網を提供することで、オーブントースタの販売増進に寄与するものである。
【符号の説明】
【００３０】１    網目部
２    縁巻部
４    係止突起
Ａ    焼網
Ｂ    金属平板
ｗ    網目
【図１】
2013029301.tif 000003
【図２】
2013029301.tif 000004
【図３】
2013029301.tif 000005
【図４】
2013029301.tif 000006
【図５】
2013029301.tif 000007
【図６】
2013029301.tif 000008
【図７】
2013029301.tif 000009
【図８】
2013029301.tif 000010
【図９】
2013029301.tif 000011
【図１０】
2013029301.tif 000012
【図１１】
2013029301.tif 000013
【図１２】
2013029301.tif 000014
【図１３】
2013029301.tif 000015
【図１４】
2013029301.tif 000016
【図１５】
2013029301.tif 000017
【図１６】
2013029301.tif 000018
【図１７】
2013029301.tif 000019
【図１８】
2013029301.tif 000020
【図１９】
2013029301.tif 000021
【図２０】
2013029301.tif 000022